(57)【要約】【課題】使い勝手が向上した通信端末機を提供する。【解決手段】発言権を獲得した１台の通信端末機からユーザデータをネットワークを介して他の通信端末機に一斉に送信する通信システムにおける通信端末機１００において、ユーザによる発言権獲得要求を受け付けて、発言権要求データの送信を指示する発言権要求部３１０と、受信部による発言許可データの受信を受けて発言権を獲得したことを認識する発言権獲得認識部３３０と、データを記憶するデータ記憶部３８０と、発言要求部によるユーザからの発言権獲得要求を受け付けた時点以降取得されたユーザデータをデータ記憶部に記憶させ、発言権獲得認識部による発言権獲得の認識を受けて、発言要求部によるユーザからの発言獲得要求を受け付けた時点以降に取得されたユーザデータを送信させるデータマネジメント部３０１とを備えた。【選択図】        図３
2009159249.tif 000002
【特許請求の範囲】
【請求項１】
複数台の通信端末機からなる通信グループ内で、発言権を獲得した１台の通信端末機で取得したユーザデータを該１台の通信端末機からネットワークを介して残りの通信端末機に一斉に送信する通信システムにおける通信端末機において、
ネットワークに向けてデータを送信する送信部と、
ネットワークを経由してきたデータを受信する受信部と、
ユーザからの発言権獲得要求を受け付けて、前記送信部に発言権要求データの送信を指示する発言権要求部と、
前記受信部による発言許可データの受信を受けて発言権を獲得したことを認識する発言権獲得認識部と、
ユーザデータを取得するデータ取得部と、
データを記憶するデータ記憶部と、
前記データ取得部で取得され、前記発言要求部によるユーザからの発言権獲得要求を受け付けた時点以降のユーザデータを前記データ記憶部に記憶させ、前記発言権獲得認識部による発言権獲得の認識を受けて、前記送信部に、前記発言要求部によるユーザからの発言獲得要求を受け付けた時点以降に前記データ取得部で取得されたユーザデータを送信させるデータマネジメント部とを備えたことを特徴とする通信端末機。
【請求項２】
前記データマネジメント部は、前記発言権獲得認識部により発言権獲得が認識された以降のユーザデータも前記データ記憶部に記憶させ、前記送信部に、前記発言権要求部によるユーザからの発言権獲得の要求を受け付けた時点以降前記データ取得部で取得されたユーザデータを取得された順序で前記データ記憶部から読み出して送信させるものであることを特徴とする請求項１記載の通信端末機。
【請求項３】
前記発言権要求部は、ユーザからの発言権獲得要求を受け付けて前記送信部に発言権要求データの送信を指示するとともに、ユーザからの発言権放棄要求を受け付けて前記送信部に発言権放棄データの送信を指示するものであって、
前記データマネジメント部は、前記発言権要求部がユーザからの発言権放棄要求を受け付けた時点で前記データ記憶部におけるユーザデータの記憶を停止させ、前記送信部からの、該発言権放棄要求を受け付けた時点以前のユーザデータの送信が完了した後に、前記発言権要求部に、前記送信部に対し発言権放棄データの送信を指示させるものであることを特徴とする請求項１または２記載の通信端末機。
【請求項４】
前記データマネジメント部は、前記発言要求部によるユーザからの発言権獲得要求を受け付けた時点を起点とした所定の期間経過時に前記データ記憶部に記憶されている未送信のユーザデータを破棄するものであることを特徴とする請求項３記載の通信端末機。
【請求項５】
前記データマネジメント部は、ユーザからのユーザデータ破棄要求を受け付けて前記データ記憶部に記憶されている未送信のユーザデータを破棄するリセット部を備えたものであることを特徴とする請求項３記載の通信端末機。
【発明の詳細な説明】
【技術分野】
【０００１】
本発明は、通信端末機に関する。
【背景技術】
【０００２】
通信端末機として例えば複数台の携帯電話端末をトランシーバのように利用するコミュニケーションの方式として、ＰｏＣ/Ｗ（Ｐｕｓｈ  ｔｏ  ｔａｌｋ  ｏｖｅｒ  Ｃｅｌｌｕｌａｒ/Ｗｉｒｅｌｅｓｓ）が知られている（例えば、特許文献１参照）。ＰｏＣ/Ｗ（以降、単にＲｏＣとも称する。）では、１対１の通話はもちろん、通話したい相手の携帯電話端末とグループを形成することで、ネットワーク上におけるグループ内の複数の携帯電話端末に共通の情報を同時に発信する通話（以下、一斉同報通話という）が可能である。ＰｏＣ/Ｗによる通話では、発言権を要求して獲得したユーザのみが、発言権の獲得から一定時間内に発言する。つまり、ＰｏＣ/Ｗの通話では一斉同報通話の性質から発言権の獲得が必要であり、発言権を獲得できない限り、通話参加者がユーザデータ（音声、静止画、動画など）を他の通話参加者へ伝えることはできない。
【特許文献１】特表２００７−５０３１８２号公報
【発明の開示】
【発明が解決しようとする課題】
【０００３】
発言権を獲得するためには、発言権獲得要求として例えばＰｏＣキーの押下といった所定の操作を行う必要があるが、この操作はあくまでも発言権の獲得を要求するものであり、従来のトランシーバのような音声データの送信可能状態を意味するものではない。このため、操作について利用者の誤解を招く可能性が大きく、利用者が操作するタイミングに所望するデータを送信することが出来ないというデメリットがある。
【０００４】
これに対し例えば上記特許文献１では、グループの生成セッションの開始時に、セッションを開始させたユーザの端末にサーバから擬似的な応答信号を送出することで、セッションが確立したように見せかけ、セッションが実際に確立するまでの間にユーザの端末から送出された音声データをサーバで記憶する。
【０００５】
しかしながら、上記特許文献１では、セッションの開始時における端末の操作のタイミングと送信タイミングのギャップを短縮することはできるものの、端末におけるセッション開始要求の操作のタイミングから、擬似的な応答信号の送出までは時間がかかるため、
送信タイミングのギャップは依然として残っている。また、セッションが確立した後の、グループの各端末間におけるギャップは依然として残っている。
【０００６】
本発明は、上記事情に鑑み、ユーザによる発言権獲得要求のタイミングとユーザデータの入力タイミングとのギャップが短縮され使い勝手が向上した通信端末機を提供することを目的とする。
【課題を解決するための手段】
【０００７】
上記目的を達成する本発明の通信端末機は、複数台の通信端末機からなる通信グループ内で、発言権を獲得した１台の通信端末機で取得したユーザデータをこの１台の通信端末機からネットワークを介して残りの通信端末機に一斉に送信する通信システムにおける通信端末機において、
ネットワークに向けてデータを送信する送信部と、
ネットワークを経由してきたデータを受信する受信部と、
ユーザからの発言権獲得要求を受け付けて、上記送信部に発言権要求データの送信を指示する発言権要求部と、
上記受信部による発言許可データの受信を受けて発言権を獲得したことを認識する発言権獲得認識部と、
ユーザデータを取得するデータ取得部と、
データを記憶するデータ記憶部と、
上記データ取得部で取得され、上記発言要求部によるユーザからの発言権獲得要求を受け付けた時点以降のユーザデータを上記データ記憶部に記憶させ、上記発言権獲得認識部による発言権獲得の認識を受けて、上記送信部に、上記発言要求部によるユーザからの発言獲得要求を受け付けた時点以降に上記データ取得部で取得されたユーザデータを送信させるデータマネジメント部とを備えたことを特徴とする。
【０００８】
本発明の通信端末機では、ユーザによる発言権獲得要求の時点から入力しされたユーザデータが欠けることなく一斉送信される。したがって、従来のトランシーバに慣れたユーザにとって使いやすく自然な操作が実現し、使い勝手が向上する。また、従来のＰｏＣ/Ｗ情報送信サービスでは不可能であった、発言権獲得前のデータ（リアルタイムデータ）を送出することが可能となる。
【０００９】
ここで、上記本発明の通信端末機において、上記データマネジメント部は、上記発言権獲得認識部により発言権獲得が認識された以降のユーザデータも上記データ記憶部に記憶させ、上記送信部に、上記発言権要求部によるユーザからの発言権獲得の要求を受け付けた時点以降上記データ取得部で取得されたユーザデータを取得された順序で上記データ記憶部から読み出して送信させるものであることが好ましい。
【００１０】
ユーザからの発言権獲得要求を受け付けた時点以降に取得されたユーザデータが、発言権獲得の認識を受けた時点で取得された部分で途切れることなく送信される。
【００１１】
また、上記本発明の通信端末機において、上記発言権要求部は、ユーザからの発言権獲得要求を受け付けて上記送信部に発言権要求データの送信を指示するとともに、ユーザからの発言権放棄要求を受け付けて上記送信部に発言権放棄データの送信を指示するものであって、
上記データマネジメント部は、上記発言権要求部がユーザからの発言権放棄要求を受け付けた時点で上記データ記憶部におけるユーザデータの記憶を停止させ、上記送信部からの、この発言権放棄要求を受け付けた時点以前のユーザデータの送信が完了した後に、上記発言権要求部に、上記送信部に対し発言権放棄データの送信を指示させるものであることが好ましい。
【００１２】
発言権放棄要求を受け付けた時点以前のユーザデータの送信が完了した後に、発言権放棄データが送信されるので、記憶されたユーザデータの読み出しが発言権放棄要求を受け付けた時点に至る前に途切れることが防止でき、従来のトランシーバにより近い自然な操作が実現できる。
【００１３】
また、上記本発明の通信端末機において、上記データマネジメント部は、上記発言要求部によるユーザからの発言権獲得要求を受け付けた時点を起点とした所定の期間経過時に上記データ記憶部に記憶されている未送信のユーザデータを破棄するものであることが好ましい。
【００１４】
これによって、所定の期間で送信されることのなかったユーザデータは破棄され、送信されるユーザデータが新しいもので更新される。
【００１５】
また、上記本発明の通信端末機において、上記データマネジメント部は、ユーザからのユーザデータ破棄要求を受け付けて上記データ記憶部に記憶されている未送信のユーザデータを破棄するリセット部を備えたものであることが好ましい。
【００１６】
所定の期間中であっても、例えば話題の展開等により、ユーザが記憶されたユーザデータを送信すべきでないと考える状況がある。このような場合にユーザは任意にユーザデータを破棄することができる。
【発明の効果】
【００１７】
以上説明したように、本発明によれば、ユーザによる発言権獲得要求のタイミングとユーザデータの入力タイミングとのギャップが短縮され、使い勝手が向上した通信端末機が実現する。
【発明を実施するための最良の形態】
【００１８】
以下図面を参照して本発明の実施形態について説明する。
【００１９】
図１は、本発明の通信端末機の一実施形態である携帯端末を含んだ通信システムを示す図である。
【００２０】
図１に示す通信システム１０は、複数の基地局１２０と、複数の携帯端末１００（１００Ａ，１００Ｂ，１００Ｃ）と、基地局制御装置１３０と、ＰｏＣサーバ１４０を含んでいる。
【００２１】
基地局１２０は、基地局の通信エリア内の携帯端末１００同士が通信を行うときに中継局として動作するとともに、通信エリア内の携帯端末１００を相手局として通信を行う。基地局制御装置１３０は、これらの複数の基地局１２０を管理し、異なる基地局１２０に接続された携帯端末１００間の通信を中継する。ＰｏＣサーバ１４０は、基地局制御装置１３０とＩＰネットワークで接続され、ＰｏＣユーザと携帯端末１００で構成されるグループを管理し、ＰｏＣ制御機能またはＰｏＣ参加機能を実行することによって、ＰｏＣサービスのためのネットワーク機能を実現する。ＰｏＣサーバ１４０は、携帯端末１００１００Ａ，１００Ｂ，１００Ｃ間で、発言権の排他制御を行い、携帯端末１００１００Ａ，１００Ｂ，１００Ｃのうちの１台にのみ発言を許可する。ＰｏＣ制御機能を実行しているＰｏＣサーバ１４０は携帯端末１００の数だけＳＩＰセッションを持ち、携帯端末１００からの発言の制御は１つのＰｏＣセッションで行う。ＰｏＣ制御機能はＰｏＣ参加機能と通信を行い、ＰｏＣ参加機能は携帯端末１００と通信する。
【００２２】
通信システム１０では、複数台の携帯端末１００からなる通信グループ内で、発言権を獲得した１台の携帯端末１００Ａからこの携帯端末１００Ａで取得したユーザデータをネットワークを介して残りの携帯端末１００Ｂ，１１０Ｃに一斉に送信する。
【００２３】
次に、携帯端末１００の構成について説明する。
【００２４】
図２は、図１に示す携帯端末のハードウェア構成を示す図である。
【００２５】
図１に示す携帯端末１００は、ネットワークを介して無線通信を行う通信部２４０と、入力スイッチからなる操作部２１０と、マイク２６０と、スピーカ２５０と、画像を取得するカメラ２３０と、画像を表示する液晶表示部２２０と、携帯端末１００の各部を制御するＣＰＵ２７０と、データを記憶するメモリ２８０とを有している。通信部２４０、操作部２１０、マイク２６０、スピーカ２５０、カメラ２３０、液晶表示部２２０、メモリ２８０、およびＣＰＵ２７０は、制御ラインおよびデータラインによって互いに接続されている。
【００２６】
通信部２４０は、ネットワークに向けてデータを送信する送信機能と、ネットワークを経由してきたデータを受信する受信機能とを有している。
【００２７】
操作部２１０は、ＰｏＣボタン２１０＿１、発言権選択スイッチ２１０＿２、破棄モード選択スイッチ２１０＿３を有している。発言権選択スイッチ２１０＿２は、ユーザによる発言権要求選択操作を受け付け、ＰｏＣボタン２１０＿１の操作により発言権を要求するボタンモードと、マイク２６０への音声入力により発言権を要求する音声モードとの間で設定を切り替える。ＰｏＣボタン２１０＿１は、ボタンモードにおいて、ユーザが発言権を獲得したい場合に押下操作するものである。破棄モード選択スイッチ２１０＿３は、ユーザによる破棄モード選択操作を受け付け、データ破棄およびデータ保持のいずれかを破棄モードとして選択する。発言権選択スイッチ２１０＿２が本発明にいう発言権要求選択操作部の一例に相当し、破棄モード選択スイッチ２１０＿３が本発明にいう破棄モード選択操作部の一例に相当する。また、操作部２１０には、ＰｏＣボタン２１０＿１、発言権選択スイッチ２１０＿２、破棄モード選択スイッチ２１０＿３以外にも、ユーザデータ破棄要求として強制破棄の操作を受け付けるスイッチや、その他設定・登録を行うための各種スイッチが備えられている。
【００２８】
マイク２６０はユーザデータとしての音声を取得するものであり、スピーカ２５０は音声を出力するものである。カメラ２３０は画像を取得するものであり、液晶表示部２２０は画像を表示出力するものである。ＣＰＵ２７０は、メモリ２８０とともに制御部３００を構成し、メモリ２８０に記憶されたプログラムを実行することによって、ＣＰＵ２７０以外の各部の動作を制御する。
【００２９】
例えば、図１に示す３台の携帯端末１００Ａ，１００Ｂ，１００Ｃからなる通信グループ内で、携帯端末１００Ａが発言権を獲得している状態では、マイク２６０で集音された音声からなるユーザデータを、通信部２４０からネットワークを介して、ＰｏＣ通信グループに属する携帯端末１００Ｂ，１００Ｃに一斉に送信する。また、携帯端末１００Ａは、ＰｏＣ通信グループに属する他の装置が発言権を獲得している状態では、他の携帯端末１００Ｂ，１００Ｃからネットワークを介して通信部２４０にて受信した音声からなるユーザデータを、液晶表示部２２０、スピーカ２５０から出力する。なお、本実施形態では、携帯端末１００が送信するユーザデータとして音声の例で説明するが、本発明のユーザデータには、例えばカメラ２３０で撮影された画像や、画像と音声の組合せを採用することもできる。
【００３０】
送信機能を担う場合の通信部２４０が本発明にいう送信部の一例に相当し、受信機能を担う場合の通信部２４０が本発明にいう受信部の一例に相当する。また、発言権選択スイッチ２１０＿２が本発明にいう発言権要求選択操作部の一例に相当する。
【００３１】
図３は、図２に示す制御部の構成を示すブロック図である。
【００３２】
図３に示す制御部３００の各部は、図２に示すＣＰＵ２７０が、メモリ２８０に記憶されたプログラムを実行することによって実現するものであり、各部は図２に示すハードウェアの各部と協同して動作する。以下、図２も参照して説明する。
【００３３】
制御部３００は、発言権要求部３１０、発言権放棄部３２０、発言権獲得部３３０、音声入力部３４０、音声データ記憶部３８０、圏外検出部３９０、一覧表示部３１２、音声データ受信部３１１、および、データマネジメント部３０１を有している。データマネジメント部３０１は、音声データ書込部３６０、音声データ読出部３７０、および音声データ出力部３５０を有している。
【００３４】
発言権要求部３１０と発言権放棄部３２０との組み合わせが本発明にいう発言権要求部の一例に相当し、発言権獲得部３３０が本発明にいう発言権獲得認識部の一例に相当し、音声入力部３４０が本発明にいうデータ取得部の一例に相当し、音声データ記憶部３８０が本発明にいうデータ記憶部の一例に相当し、データマネジメント部３０１が本発明にいうデータマネジメント部の一例に相当する。
【００３５】
発言権要求部３１０および発言権放棄部３２０は、ユーザからの発言権獲得要求を受け付けて通信部２４０に発言権要求データの送信を指示するとともに、ユーザからの発言権放棄要求を受け付けて通信部２４０に発言権放棄データの送信を指示する。発言権要求部３１０が獲得を担当し、発言権放棄部３２０が放棄を担当する。より詳細には、発言権要求部３１０は、ユーザによる発言権獲得要求を受け付け、通信部２４０（図２参照）に発言権要求データの送信を指示する。通信部２４０から送信された発言権要求データは、ＰｏＣサーバ１４０（図１参照）に供給される。ＰｏＣサーバ１４０は、発言権要求データを送信した携帯端末１００Ａの他の携帯端末１００Ｂ，１００Ｃに発言を許可している場合には発言権放棄データを受信した後、いずれの携帯端末１００Ｂ，１００Ｃにも発言権を許可していない場合には直ちに、携帯端末１００Ａに対し発言許可データを送信する。なお、発言許可データには、発言権の許可順番を表す属性情報が付随しており、属性情報には、一連の会話を識別するＰｏＣ番号、送信時刻、および、許可した携帯端末を表す情報も含まれている。発言権要求部３１０は、発言権選択スイッチ２１０＿２で受け付けられた発言権要求選択操作に応じて、ユーザによる発言権獲得要求として受け付ける入力の種類を選択する。すなわち、発言権選択スイッチ２１０＿２がボタンモードに設定されている場合には、ＰｏＣボタン２１０＿１の押下操作をユーザによる発言権獲得要求として受け付け、発言権選択スイッチ２１０＿２が音声モードに設定されている場合には、音声入力部３４０による音声の取得をユーザによる発言権獲得要求として受け付ける。
【００３６】
発言権獲得部３３０は、通信部２４０（図２参照）による発言許可データの受信を受けて発言権を獲得したことを認識する。
【００３７】
発言権放棄部３２０は、ユーザによる発言権放棄要求を受け付け、また、通信部２４０に発言権放棄データを送信させる。ここで、発言権放棄部３２０は、発言権放棄要求を受け付けて直ちに発言権放棄データを送信させるのではなく、音声データ記憶部３８０に記憶させた音声データの送信が完了した後で発言権放棄データを送信させる。なお、発言権放棄部３２０は、発言権選択スイッチ２１０＿２で受け付けられた発言権要求選択操作に応じて、ユーザによる発言権放棄要求として受け付ける入力の種類を選択する。すなわち、発言権選択スイッチ２１０＿２がボタンモードに設定されている場合には、ＰｏＣボタン２１０＿１の戻し操作をユーザによる発言権放棄要求として受け付け、発言権選択スイッチ２１０＿２が音声モードに設定されている場合には、音声入力部３４０による無音状態の検出をユーザによる発言権獲得要求として受け付ける。
【００３８】
音声入力部３４０は、マイク２６０からユーザデータとしての音声データを取得する。
【００３９】
音声データ記憶部３８０は、メモリ２８０で構成されており、音声、および音声データに対応した発言権の許可順番を表す属性情報を記憶する。
【００４０】
圏外検出部３９０は、通信部２４０（図２参照）の通信状態を検査し、ネットワークに対しデータの送受信が可能な通信圏内状態と通信圏外状態との間での状態の変化を検知する。
【００４１】
データマネジメント部３０１は、音声入力部３４０で取得された音声データを音声データ記憶部３８０に記憶させ、また、音声データ記憶部３８０に記憶させた音声データを読み出し、通信部２４０に送信させる。音声データには、ＰｏＣサーバ１４０から得られた属性情報を付随して送信する。音声データ記憶部３８０への記憶は音声データ書込部３６０によって行われる。また、音声データ記憶部３８０からの読み出しは音声データ読出部３７０によって行われ、読み出したデータの送信は音声データ出力部３５０によって行われる。音声データ出力部３５０は、データ読出依頼の信号を音声データ読出部３７０に送信することで音声データ読出部３７０に音声データを読み出させる。音声データ読出部３７０は、音声データ記憶部３８０から音声データを読み出すとき、音声データ中の音声レベルを検知する。そして、音声データ中の音声レベルが所定の基準よりも低い無音部分は無効部分として音声データ出力部３５０に供給せず、残りの部分を連続して供給する。
【００４２】
図４は、データ記憶部に記憶された音声データの構成と送信される音声データの構成の例を示す図である。
【００４３】
図４に示すように、記憶された音声データ７００には、データＡ７１０、データＢ７３０、データＣ７５０の間に、無音部分７２０，７４０が含まれている。音声データ読出部３７０は、無音部分７２０，７４０を音声データ出力部３５０に送信せず、データＡ７１０、データＢ７３０、およびデータＣ７５０を送信する。なお、送信される音声データ８００におけるデータＡ７１０、データＢ７３０、およびデータＣ７５０の間には、無音部分７２０，７４０を飛ばしたことをしめすための短い無音部分８１０，８２０が挿入される。これによって、無音部分を飛ばし音声が効率よく送信される。また、音声データ読出部３７０は、圏外検出部３９０によって通信圏内から通信圏外への変化が検知された場合、音声データの読出しおよび送信を中断し、圏外検出部３９０によって通信圏外から通信圏内への変化が検知された場合、音声データの読出し送信を再開する。
【００４４】
ここで、データマネジメント部３０１をより詳細に説明する。
【００４５】
データマネジメント部３０１は、発言権要求部３１０によるユーザからの発言権獲得要求を受け付けた時点以降の音声データを音声データ記憶部３８０に記憶させ、発言権獲得部３３０による発言権獲得の認識を受けてから、音声データ記憶部３８０に記憶させた音声データの読出しを開始し、読み出した音声データを通信部２４０に送信させる。これによって、ユーザからの発言獲得要求を受け付けた時点以降に取得されたユーザデータが、後に発言権獲得の認識を受けて送信される。ここで、データマネジメント部３０１は、発言権獲得部３３０による発言権獲得の認識を受けた時点以降も、音声入力部３４０で取得された音声データを音声データ記憶部３８０に記憶させ、発言権放棄部３２０がユーザからの発言権放棄要求を受け付けた時点でデータ記憶部における音声データの記憶を停止させる。また、発言権要求部３１０によるユーザからの発言権獲得の要求を受け付けた時点以降、音声入力部３４０で取得された音声データを取得された順序でデータ記憶部３８０から読み出して送信させる。
【００４６】
発言権要求部３１０の指示によって発言権要求データが送信された場合に、ＰｏＣサーバ１４０（図１参照）が他の携帯端末１００Ｂ，１００Ｃに発言を許可しているときは、携帯端末１００Ａに対し発言許可データが送信されない。データマネジメント部３０１は、破棄モード選択スイッチ２１０＿３でデータ破棄モードを選択する操作が受け付けられた場合に、発言権要求部３１０によるユーザからの発言権獲得要求を受け付けた時点以降所定の期間内で発言権獲得部３３０が発言権を獲得しない場合、音声データ記憶部３８０に記憶させた未送信のユーザデータを破棄する。これによって、所定の期間内に送信されることのなかった音声データが削除され、新しい音声データで更新される。この一方、破棄モード選択スイッチ２１０＿３でデータ保持モードを選択する操作が受け付けられた場合には、所定の期間内で発言権獲得部３３０が発言権を獲得しない場合、音声データ記憶部３８０に記憶させた未送信のユーザデータを累積して保持し、発言権獲得部３３０が後に発言権を獲得した場合、この未送信のユーザデータを通信部２４０に送信させる。これによって、発言権を獲得した場合、過去に取得した音声データを漏らさず送信することができる。ただし、データマネジメント部３０１の音声データ書き込み部３６０は、データ保持モードが選択されている場合であっても、操作部２１０によってユーザデータ破棄要求として強制破棄の操作が受け付けられた場合には、データ記憶部３８０に記憶されている未送信のユーザデータを破棄する。これによって、ユーザデータの破棄がユーザによる任意のタイミングで実行できる。音声データ書き込み部３６０が本発明にいうリセット部の一例に相当する。
【００４７】
また、データマネジメント部３０１によって読み出され送信された音声データは直ちに破棄されるのではなく、送信されたデータのデータベースとしてそのまま音声データ記憶部３８０に保持される。
【００４８】
図３に示す音声データ受信部３１１は、他の携帯端末１００Ｂ，１００Ｃからネットワークを介し通信部２４０にて受信した音声データを音声データ記憶部３８０にデータベースとして記憶する。通信部２４０は、音声データに付随して、この音声データの発言権の許可順番を表す属性情報も受信する。この属性情報には、一連の会話を識別するＰｏＣ番号、送信時刻、および、携帯端末１００Ａ，１００Ｂ，１００Ｃのうち発言権を得て音声データを送信したものを表す発言者の情報も含まれている。
【００４９】
図５は、データ記憶部に記憶されたデータベースの構造を示す図である。
【００５０】
音声データ受信部３１１は、各音声データ６３０を、ＰｏＣ番号６４０、送信時刻６１０、発言者６１０、および、発言権の許可順番である発言順序６２０に対応付けて記憶させる。音声データ受信部３１１は、音声データと属性情報を対応付けて音声データ記憶部３８０に記憶することで、音声データの履歴表示を可能とする。
【００５１】
また、携帯端末１００Ａ自身が音声データを送信する場合にも、通信部２４０はＰｏＣサーバ１４０から、発言許可データに付随して発言権の許可順番を表す属性情報を受信する。この属性情報は、音声データ記憶部３８０に記憶されている未送信の音声データに対応するものであり、データマネジメント部３０１により、音声データ記憶部３８０に上記未送信の音声データと対応付けて記憶される。図５に示すデータベースのうち、発言者６１０の項目が‘Ａ‘となっているものは、携帯端末１００Ａ自身が送信した音声データである。
【００５２】
一覧表示部３１２は、音声データ記憶部３８０に記憶されたデータベースを読み出し、音声データの一覧を液晶表示部２２０に表示する。このとき、一覧表示部３１２は属性情報があらわす発言権の許可順番の順に並べて表示する。
【００５３】
続いて、図１、図２、および図３も参照して、通信システム１０における携帯端末１００の動作を説明する。ここでは、ＰｏＣサーバ１４０が複数の携帯端末１００からなるグループのリストや、携帯端末１００を使用するユーザのプロファイル情報等をすでに保持・管理してしているものとして説明する。また、ここでは、携帯端末１００の制御部３００について主に説明する。例えば送受信の前提となる通信部２４０等の動作については、省略する場合もある。
【００５４】
図６は、携帯端末１００のボタンモードでのデータ送信動作を示すフローである。
【００５５】
携帯端末１００では、まず、ユーザの各種操作によりユーザ設定が行われる（Ｓ４００）。例えば、発言権選択スイッチ２１０＿２が発言権要求選択操作を受け付け、ＰｏＣボタン２１０＿１の操作により発言権を要求するボタンモードが選択される。また、破棄モード選択スイッチ２１０＿３は、破棄モードとして、データ破棄が選択される。
【００５６】
ボタンモードが選択されている場合には、ユーザが発言をしようとして、携帯端末１００のＰｏＣボタン２１０＿１を押すと、発言権要求部３１０は、携帯端末１００のＰｏＣボタン２１０＿１が押下されことをユーザによる発言権獲得要求として受け付け（Ｓ４０１）、通信部２４０に発言権要求データの送信を指示する（Ｓ４０２）。これによって発言権要求データがＰｏＣサーバ１４０に送信される。このとき、発言権要求部３１０は、所定の発言待機時間の計時を開始する。所定の発言待機時間は、ユーザの操作によって任意に設定可能であり、例えば１５秒である。
【００５７】
ＰｏＣサーバ１４０から発言権獲得部３３０へ発言許可が送信されてくる前に、音声入力部３４０が、マイク２６０から音声データを取得するとともに、音声データ書込部３６０へデータ記憶要求信号を送信する（Ｓ４０３）。音声データ書込部３６０は、音声データの書込みを開始する。これによって、ユーザがＰｏＣボタン２１０＿１を操作するとほぼ同時にマイク２６０に向かってしゃべった音声は音声入力部３４０によって取得され、データマネジメント部３０１によって、音声データ記憶部３８０に記憶される。
【００５８】
一方で、発言権獲得部３３０が、発言権要求部３１０により計時された発言待機時間以内に、ＰｏＣサーバ１４０から発言許可を受信すると（Ｓ４０５）、発言権獲得部３３０は、音声データ出力部３５０へ音声出力開始信号を送信する（Ｓ４０６）。音声データ出力部３５０は、発言権獲得部３３０から渡された音声出力開始信号を受信して、音声データ読出部３７０へデータ読出依頼信号を送信する（Ｓ４０７）。音声データ読出部３７０は、音声データ出力部３５０から渡されたデータ読出依頼信号を受信して、音声データ記憶部３８０からデータの読出しを行う（Ｓ４０８）。音声データ読出部３７０は、音声データ記憶部３８０からのデータ読出しが完了すると、読み出したデータを音声データ出力部３５０へ送信する（Ｓ４０９）。音声データ出力部３５０は、音声データ読出部３７０からデータの受信を完了すると、音声データを（通信部２４０を介して）ＰｏＣサーバ１４０へ送信する（Ｓ４１０）。音声データ書込部３６０は、音声データ読出部３７０がデータを読み出している間、音声データ記憶部３８０へのデータ記憶を継続して行う。一方で、音声データ記憶部３８０からの読出しも継続して繰り返し行われる（Ｓ４１３、Ｓ４１４、Ｓ４１５）。このようにして、データマネジメント部３０１が、発言権要求部３１０によるユーザからの発言権獲得要求を受け付けた時点以降の音声データを音声データ記憶部３８０に記憶させ、発言権獲得部３３０による発言権獲得の認識を受けた後、音声データ記憶部３８０に記憶させた音声データの読出しを開始し、音声データを取得された順序でデータ記憶部３８０から読み出し通信部２４０に送信させる。
【００５９】
仮に、発言権要求部３１０により計時された発言待機時間以内に、発言権獲得部３３０が、ＰｏＣサーバ１４０から発言許可を受信しない場合、データマネジメント部３０１が、音声データ記憶部３８０に記憶された未送信の音声データを破棄する。この場合については後述する。
【００６０】
図６のフローで説明したように、携帯端末１００では、ユーザによる発言権要求の操作と、送信される音声の入力タイミングがほぼ一致する。
【００６１】
ＰｏＣ/W通話は一斉同報通話であるために必ず発言権の獲得が必要であり、この発言権の獲得が行われない限り、通話参加者がＰｏＣ情報（音声、静止画、動画など）を他の通話参加者へ送信することができない。発言権の獲得を行うため、ユーザが操作（ＰｏＣボタンの押下）を行う必要がある。従来、この操作はあくまでも発言権の獲得を要求するものであり、トランシーバのような音声受付開始を意味するものでなかったため、利用者の誤解を招く可能性が大きく、この結果、利用者が所望するタイミングに所望するデータを送信することが出来ないというようなデメリットがあった。
【００６２】
上述した本実施例の携帯端末１００によれば、発言権獲得後に発言の途中から音声が送出されるといったことなく通話することが可能となる。
【００６３】
図７は、図６に続くの発言権放棄動作を示すフローである。
【００６４】
ボタンモードが選択されている場合には、ユーザが発言を終了しようとして、携帯端末１００のＰｏＣボタン２１０＿１を戻すと、発言権放棄部３２０は、携帯端末１００のＰｏＣボタン２１０＿１が戻されことをユーザによる発言権放棄要求として受け付ける（Ｓ４２４）。また、データマネジメント部３０１の音声データ書込部３６０は、発言権放棄部３２０がユーザからの発言権放棄要求を受け付けた時点で音声データ記憶部３８０におけるユーザデータの記憶を終了させる（Ｓ４２５）。音声データ記憶部３８０には、それまで記憶されていた音声データが残っているので、データマネジメント部３０１による音声データの読出しおよび送信は記憶が終了した時点まで継続されるが（Ｓ４２１，Ｓ４２２，Ｓ４２３）、やがて音声データ送出は完了する（Ｓ４２６）。発言権放棄部３２０は、音声データ出力部３５０へ、音声データ送出完了確認信号を送信する（Ｓ４２８）。音声データ出力部３５０は、発言権放棄部３２０からの音声データ送出完了確認信号を受信して、音声出力が完了していることを確認した後、音声出力が完了していれば、発言権放棄部３２０へ音声データ送信完了済信号を送信する（Ｓ４２９）。もし、音声出力が完了していなければ、全蓄積データの送信完了を待ち合わせて、発言権放棄部３２０へ音声データ送信完了済信号を送信する。発言権放棄部３２０は、音声出力部からの音声データ送信完了済信号を受信して、ＰｏＣサーバ１４０へ発言権放棄要求を送信する（Ｓ４３０）。このようにして、データマネジメント部３０１は、発言権放棄要求を受け付けた時点以前の音声データの送信が完了した後、発言権放棄部３２０に、通信部２４０に対し発言権放棄データの送信を指示させる。発言権放棄部３２０が、ＰｏＣサーバより発言権放棄完了を受信すると（Ｓ４３１）、一連のＰｏＣ通信システム動作が完了する。
【００６５】
このように、ボタンモードでは、ユーザがＰｏＣボタンを押した時点から入力した発言の音声が欠けることなく一斉送信される。また、発言権を獲得した以降に入力された音声も途切れずに連続して送信され、ＰｏＣボタンを戻した場合に、その時点まで入力された音声が送信される。したがって、従来のトランシーバに慣れたユーザにとって使いやすく自然な操作が実現する。
【００６６】
続いて、音声モードでのデータ送信動作を説明するが、音声モードでは、ボタンモードと異なる部分ついて説明し、共通の部分については同一の符号を付し、説明を省略する。
【００６７】
図８は、携帯端末１００の音声モードでのデータ送信動作を示すフローである。
【００６８】
携帯端末１００では、まず、ユーザの各種操作によりユーザ設定が行われる（Ｓ５００）。ここでは、発言権選択スイッチ２１０＿２が発言権要求選択操作を受け付け、マイク２６０への音声入力により発言権を要求する音声モードが選択される。また、破棄モード選択スイッチ２１０＿３は、破棄モードとして、データ破棄が選択される。
【００６９】
音声モードが選択されている場合には、ユーザがマイク２６０に向かってしゃべると、その音声がマイク２６０に入力され、発言権要求部３１０は、携帯端末１００の音声入力部３４０に音声データが入力されたことをユーザによる発言権獲得要求として受け付け（Ｓ５０１）、通信部２４０に発言権要求データの送信を指示する（Ｓ４０２）。また、音声入力部３４０が、マイク２６０から音声データを取得するとともに、音声データ書込部３６０へデータ記憶要求信号を送信する（Ｓ４０３）。音声データ書込部３６０は、音声データの書込みを開始する。これによって、ユーザがＰｏＣボタン２１０＿１を操作するとほぼ同時にマイク２６０に向かってしゃべった音声は音声入力部３４０によって取得され、データマネジメント部３０１によって、音声データ記憶部３８０に記憶される。これ以降は、図６で説明したボタンモードの場合と同様である。
【００７０】
図９は、図８に続く発言権放棄動作を示すフローである。
【００７１】
ユーザが発言を終了して黙ると、マイク２６０への音声の入力が途切れ無音となり、音声入力部３４０は一定時間にわたる無音を検出する（Ｓ５２０）。音声モードが選択されている場合、発言権放棄部３２０は、音声入力部３４０による無音状態の検出をユーザによる発言権放棄要求として受け付ける。また、データマネジメント部３０１の音声データ書込部３６０は、音声入力部３４０が無音状態を検出し発言権放棄部３２０が発言権放棄要求を受け付けた時点で音声データ記憶部３８０におけるユーザデータの記憶を終了させる（Ｓ４２５）。この後の動作は、図７で説明したボタンモードと同様である。
【００７２】
このように、音声モードでは、ユーザがＰｏＣボタンを押さなくともマイク２６０に向かってしゃべると、発言権が獲得され音声が一斉送信される。また、マイク２６０に向かってしゃべるのを止めると、発言権を放棄する。したがって、携帯電話に慣れたユーザにとってより使いやすく自然な操作が実現する。
【００７３】
これまでは、発言権要求部３１０により計時された所定の発言待機時間以内に、発言権獲得部３３０が、ＰｏＣサーバ１４０から発言許可を受信した場合の動作について説明したが、続いて、発言権獲得部３３０が、所定の発言待機時間でＰｏＣサーバ１４０から発言許可を受信しなかった場合の動作について説明する。これまでと異なる部分ついて説明し、共通の部分については同一の符号を付し、説明を省略する。
【００７４】
図１０は、携帯端末１００の、データ破棄モードにおける発言許可を受信しなかった場合の動作を示すフローである。
【００７５】
携帯端末１００では、まず、ユーザの各種操作によりユーザ設定が行われる（Ｓ９００）。ここでは、発言権選択スイッチ２１０＿２が発言権要求選択操作を受け付け、マイク２６０への音声入力により発言権を要求する音声モードが選択される。また、破棄モード選択スイッチ２１０＿３は、破棄モードとして、データ破棄が選択される。
【００７６】
ボタンモードが選択されている場合には、ユーザが発言をしようとして、携帯端末１００のＰｏＣボタン２１０＿１を押すと、発言権要求部３１０は、携帯端末１００のＰｏＣボタン２１０＿１が押下されことをユーザによる発言権獲得要求として受け付け（Ｓ９０１）、通信部２４０に発言権要求データの送信を指示する（Ｓ９０２）。これによって発言権要求データがＰｏＣサーバ１４０に送信される。また、発言権要求部３１０は、所定の発言待機時間の計時を開始する。所定の発言待機時間は、ユーザの操作によって任意に設定可能であり、例えば１５秒である。
【００７７】
ＰｏＣサーバ１４０から発言権獲得部３３０へ発言許可が送信されてくる前に、音声入力部３４０が、マイク２６０から音声データを取得するとともに、音声データ書込部３６０へデータ記憶要求信号を送信する（Ｓ９０５）。音声データ書込部３６０は、音声データの書込みを開始する（Ｓ９０６）。
【００７８】
ここで、別ユーザの携帯端末１００Ｃが発言権を獲得している場合（Ｓ９０３）、ＰｏＣサーバ１４０は、発言不許可データを送信し、発言許可データを送信しない。したがって、発言権獲得部３３０が発言権を獲得しない。発言権獲得部３３０は、所定の発言待機時間以内に発言権を獲得しない場合、音声データ破棄要求をデータマネジメント部３０１の音声データ書込部３６０に送信し（Ｓ９０７）、音声データ書込部３６０は、音声データ記憶部３８０に記憶させた未送信のユーザデータを破棄する（Ｓ９０８）。このようにして、データマネジメント部３０１は、発言権要求部３１０によるユーザからの発言権獲得要求を受け付けた時点以降所定の発言待機時間内で発言権獲得部３３０が発言権を獲得しない場合、音声データ記憶部３８０に記憶させた未送信の音声データを破棄する。ただし、音声データ記憶部３８０にはこの後も、音声入力部３４０によって取得された音声データがデータマネジメント部３０１によって、記録され続ける。すなわち、音声データが最新のもので更新される。
【００７９】
この後、ユーザが再び発言を試みようとして、携帯端末１００のＰｏＣボタン２１０＿１を押すと、発言権要求部３１０は、携帯端末１００のＰｏＣボタン２１０＿１が押下されことをユーザによる発言権獲得要求として受け付け（Ｓ９１０）、通信部２４０に発言権要求データの送信を指示する（Ｓ９１１）。また、改めて発言待機時間の計時を開始する。これによって発言権要求データがＰｏＣサーバ１４０に送信される。
【００８０】
この間に、別ユーザの携帯端末１００Ｃは発言権を開放しているため（Ｓ９０９）、今度は、発言待機時間以内に、ＰｏＣサーバ１４０から発言許可を受信する（Ｓ９１２）。発言権獲得部３３０は、音声データ出力部３５０へ音声出力開始信号を送信する（Ｓ４１３）。音声データ出力部３５０は、発言権獲得部３３０から渡された音声出力開始信号を受信して、音声データ読出部３７０へデータ読出依頼信号を送信する（Ｓ９１４）。音声データ読出部３７０は、音声データ出力部３５０から渡されたデータ読出依頼信号を受信して、音声データ記憶部３８０からデータの読出しを行う（Ｓ９１５）。この後は、図６で説明した動作と同様である。
【００８１】
このようにして、最新の音声データが一斉送信される。
【００８２】
続いて、破棄モードとして、データ保持が選択された場合に、発言権獲得部３３０が、所定の発言待機時間でＰｏＣサーバ１４０から発言許可を受信しなかった場合の動作について説明する。データ保持が選択された場合は、図１０を流用し、データ破棄と異なる部分ついて説明する。
【００８３】
データ保持が選択される場合、ユーザ設定（Ｓ９００）で、破棄モード選択スイッチ２１０＿３は、破棄モードとして、データ保持が選択される。
【００８４】
データ保持が選択された場合、発言権獲得部３３０は、所定の発言待機時間以内に発言権を獲得しない場合でも、音声データ破棄要求を送信しない。したがって、音声データ書込部３６０は、音声データ記憶部３８０に記憶させた未送信のユーザデータを保持する。
【００８５】
この結果、発言権獲得部３３０が後に発言権を獲得した場合（Ｓ９１２）、データマネジメント部３０１は未送信のユーザデータを通信部２４０に送信させると、未送信のユーザデータがすべて、記憶されていた順に一斉送信される。
【００８６】
続いて、携帯端末１００が、基地局１２０（図１参照）を含むネットワークに対しデータの送受信が不可能な通信圏外に移動した場合の動作について説明する。
【００８７】
図１１は、携帯端末１００が通信圏外に一旦移動した場合の動作を示すフローである。
【００８８】
音声データ記憶部３８０に記憶された音声データが読み出され、送信されている状態で（Ｓ８０１，Ｓ８０２，Ｓ８０３）、携帯端末１００の移動や電波環境の悪化等により、携帯端末１００が、データの送受信が不可能な通信圏外に移動すると、圏外検出部３９０が、通信圏内状態から通信圏外状態への状態の変化を検出し（Ｓ８０４）、データマネジメント部３０１の音声データ出力部３５０に対し音声データ送信停止要求を行う（Ｓ８０５）。この結果、データマネジメント部３０１の音声データ読出部３７０は、音声データの読出し、および送信を中断する（Ｓ８０６）。
【００８９】
この後、携帯端末１００が、データの送受信が可能な通信圏内に再び移動すると、圏外検出部３９０が、通信圏外状態から通信圏内状態への状態の変化を検出し（Ｓ８０７）、データマネジメント部３０１の音声データ出力部３５０に対し音声データ送信再開要求を行う（Ｓ８０８）。この結果、データマネジメント部３０１の音声データ読出部３７０および音声データ出力部３５０は、音声データの読出し、および送信を再開する（Ｓ８０６）。これによって、携帯端末１００が通信圏外に移動しても音声データが失われることなく、通信圏内に戻った後ですべて送信される。したがって、発言権を得て発言しているユーザの音声が、通信圏外で途切れてしまった場合、圏内に復帰した後、もう一度発言し直す必要がない。
【００９０】
なお、上述した実施形態では、本発明の通信端末機として、携帯端末の例で説明したが、本発明はこれに限られるものではなく、一斉送信が可能な通信システムの端末機であればよい。
【００９１】
また、上述した実施形態では、本発明のユーザデータとして、音声データの例で説明したが、本発明はこれに限られるものではなく、例えば、画像データであってもよい。
【００９２】
以上の実施形態に関し、さらに以下の付記を開示する
（付記１）
複数台の通信端末機からなる通信グループ内で、発言権を獲得した１台の通信端末機で取得したユーザデータを該１台の通信端末機からネットワークを介して残りの通信端末機に一斉に送信する通信システムにおける通信端末機において、
ネットワークに向けてデータを送信する送信部と、
ネットワークを経由してきたデータを受信する受信部と、
ユーザからの発言権獲得要求を受け付けて、前記送信部に発言権要求データの送信を指示する発言権要求部と、
前記受信部による発言許可データの受信を受けて発言権を獲得したことを認識する発言権獲得認識部と、
ユーザデータを取得するデータ取得部と、
データを記憶するデータ記憶部と、
前記データ取得部で取得され、前記発言要求部によるユーザからの発言権獲得要求を受け付けた時点以降のユーザデータを前記データ記憶部に記憶させ、前記発言権獲得認識部による発言権獲得の認識を受けて、前記送信部に、前記発言要求部によるユーザからの発言獲得要求を受け付けた時点以降に前記データ取得部で取得されたユーザデータを送信させるデータマネジメント部とを備えたことを特徴とする通信端末機。
【００９３】
（付記２）
前記データマネジメント部は、前記発言権獲得認識部により発言権獲得が認識された以降のユーザデータも前記データ記憶部に記憶させ、前記送信部に、前記発言権要求部によるユーザからの発言権獲得の要求を受け付けた時点以降前記データ取得部で取得されたユーザデータを取得された順序で前記データ記憶部から読み出して送信させるものであることを特徴とする付記１記載の通信端末機。
【００９４】
（付記３）
前記発言権要求部は、ユーザからの発言権獲得要求を受け付けて前記送信部に発言権要求データの送信を指示するとともに、ユーザからの発言権放棄要求を受け付けて前記送信部に発言権放棄データの送信を指示するものであって、
前記データマネジメント部は、前記発言権要求部がユーザからの発言権放棄要求を受け付けた時点で前記データ記憶部におけるユーザデータの記憶を停止させ、前記送信部からの、該発言権放棄要求を受け付けた時点以前のユーザデータの送信が完了した後に、前記発言権要求部に、前記送信部に対し発言権放棄データの送信を指示させるものであることを特徴とする付記１または２記載の通信端末機。
【００９５】
（付記４）
前記データマネジメント部は、前記発言要求部によるユーザからの発言権獲得要求を受け付けた時点を起点とした所定の期間経過時に前記データ記憶部に記憶されている未送信のユーザデータを破棄するものであることを特徴とする付記３記載の通信端末機。
【００９６】
（付記５）
前記データマネジメント部は、ユーザからのユーザデータ破棄要求を受け付けて前記データ記憶部に記憶されている未送信のユーザデータを破棄するリセット部を備えたものであることを特徴とする付記３記載の通信端末機。
【００９７】
（付記６）
ユーザによる、データ破棄モードおよびデータ保持モードのいずれかを選択する破棄モード選択操作を受け付ける破棄モード選択操作部をさらに備え、
前記データマネジメント部は、前記破棄モード選択操作部でデータ破棄モードを選択すする操作が受け付けられた場合に、前記発言要求部によるユーザからの発言権獲得要求を受け付けた時点以降所定の期間内で前記発言権獲得認識部が発言権を獲得しない場合、前記データ記憶部に記憶させた未送信のユーザデータを破棄し、前記破棄モード選択操作部でデータ保持モードを選択する操作が受け付けられた場合に、前記発言要求部によるユーザからの発言権獲得要求を受け付けた時点以降所定の期間内で前記発言権獲得認識部が発言権を獲得しない場合、前記データ記憶部に記憶させた未送信のユーザデータを保持し、前記発言権獲得認識部が後に発言権を獲得した場合、該未送信のユーザデータを前記送信部に送信させるものであることを特徴とする付記１から３いずれか１項記載の通信端末機。
【００９８】
（付記７）
前記データ取得部はユーザデータとして音声を取得するものであり、
前記発言権要求部は、前記データ取得部による音声の取得をユーザによる発言権獲得要求として受け付けるものであることを特徴とする付記１から６いずれか１項記載の通信端末機。
【００９９】
（付記８）
ユーザによる発言権要求選択操作を受け付ける発言権要求選択操作部を備え、
前記発言権要求部は、発言権要求選択操作部で受け付けられた発言権要求選択操作に応じて、ユーザによる発言権獲得要求として受け付ける入力の種類を選択するものであることを特徴とする付記１から６いずれか１項記載の通信端末機。
【０１００】
（付記９）
前記データ取得部はユーザデータとして音声を取得するものであり、
前記発言権要求部は、前記データ取得部による無音状態の検出をユーザによる発言権放棄要求として受け付けるものであることを特徴とする付記３から８いずれか１項記載の通信端末機。
【０１０１】
（付記１０）
前記受信部が、前記発言許可データに付随して発言権の許可順番を表す属性情報を受けるものであり、
データマネジメント部は、前記データ記憶部に、ユーザデータと、該ユーザデータに対応する属性情報を記憶させるものであることを特徴とする付記１から９いずれか１項記載の通信端末機。
【０１０２】
（付記１１）
前記受信部が、この通信端末機とは別の通信端末機からネットワークを介してユーザデータおよび発言権の許可順番を表す属性情報を受けるものであり、
データマネジメント部は、前記データ記憶部に、前記受信部で受けたユーザデータおよび属性情報を記憶させるものであることを特徴とする付記１から１０いずれか１項記載の通信端末機。
【０１０３】
（付記１２）
前記データ記憶部に記憶されたユーザデータの一覧を、該ユーザデータに対応付けられた属性情報によって表される許可順番の順に並べて表示する一覧表示部をさらに備えたことを特徴とする付記１０または１１記載の通信端末機。
【０１０４】
（付記１３）
前記データマネジメント部は、前記データ記憶部からユーザデータを読出し、読み出したユーザデータのうち所定の無効部分は前記送信部に送信させず、残りの部分を連続して送信させるものであることを特徴とする付記１から１２いずれか１項記載の通信端末機。
【０１０５】
（付記１４）
この通信端末機が、前記ネットワークに対しデータの送受信が可能な通信圏内状態と通信圏外状態との間での状態の変化を検知する圏内外検知部を備え、
前記データマネジメント部は、前記圏内外検知部によって通信圏内から通信圏外への変化が検知された場合、ユーザデータの送信を中断し、前記圏内外検知部によって通信圏外から通信圏内への変化が検知された場合、ユーザデータの送信を再開するものであることを特徴とする付記１から１３いずれか１項記載の通信端末機。
【図面の簡単な説明】
【０１０６】
【図１】本発明の通信端末機の一実施形態である携帯端末を含んだ通信システムを示す図である。
【図２】図１に示す携帯端末のハードウェア構成を示す図である。
【図３】図２に示す制御部の構成を示すブロック図である。
【図４】データ記憶部に記憶された音声データの構成と送信される音声データの構成の例を示す図である。
【図５】データ記憶部に記憶されたデータベースの構造を示す図である。
【図６】図１に示す携帯端末のボタンモードでのデータ送信動作を示すフローである。
【図７】図６に続くの発言権放棄動作を示すフローである。
【図８】図１に示す携帯端末の音声モードでのデータ送信動作を示すフローである。
【図９】図８に続く発言権放棄動作を示すフローである。
【図１０】図１に示す携帯端末の、データ破棄モードにおける発言許可を受信しなかった場合の動作を示すフローである。
【図１１】図１に示す携帯端末が通信圏外に一旦移動した場合の動作を示すフローである。
【符号の説明】
【０１０７】
１０    通信システム
１００(１００Ａ，１００Ｂ，１００Ｃ)    携帯端末（通信端末機）
１４０    ＰｏＣサーバ
２１０    操作部
２１０＿２    発言権選択スイッチ（発言権要求選択操作部）
２１０＿３    破棄モード選択スイッチ（破棄モード選択操作部）
２４０    通信部（送信部、受信部）
２６０    マイク
２８０    メモリ
３０１    データマネジメント部
３１０    発言権要求部（発言権放棄部３２０とあわせて発言権要求部）
３１１    音声データ受信部
３１２    一覧表示部
３２０    発言権放棄部
３３０    発言権獲得部（発言権獲得認識部）
３４０    音声入力部（データ取得部）
３５０    音声データ出力部
３６０    音声データ書込部
３７０    音声データ読出部
３８０    音声データ記憶部（データ記憶部）
３９０    圏外検出部（圏内外検知部）
【図１】
2009159249.tif 000003
【図２】
2009159249.tif 000004
【図３】
2009159249.tif 000005
【図４】
2009159249.tif 000006
【図５】
2009159249.tif 000007
【図６】
2009159249.tif 000008
【図７】
2009159249.tif 000009
【図８】
2009159249.tif 000010
【図９】
2009159249.tif 000011
【図１０】
2009159249.tif 000012
【図１１】
2009159249.tif 000013